(57)【特許請求の範囲】
【請求項１】
対向する第１の電極と第２の電極との間に電気泳動粒子を含んだ電気泳動素子を挟持し、複数の画素からなる表示部を有する電気泳動表示装置の駆動方法であって、
前記画素ごとに設けられた複数の前記第１の電極の各々に第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込みステップと、
前記画像書き込みステップ後に複数回行うコントラスト保持ステップと、を備えており、
前記コントラスト保持ステップは、前記第２の電極と全ての前記第１の電極とを、５秒以下の期間ハイインピーダンスとする短期インターバルステップと、前記第２の電極に前記基準パルスを少なくとも１周期印加するとともに、前記基準パルスが印加されている期間に複数の前記第１の電極の各々に前記画像書込みステップにて印加された電位と同じ電位を印加する補助パルス入力ステップと、を有し、
前記短期インターバルステップの期間が、複数回の前記コントラスト保持ステップごとに異なることを特徴とする電気泳動表示装置の駆動方法。
【請求項２】
請求項１に記載の電気泳動表示装置の駆動方法であって、
次の前記画像書込みステップまで前記コントラスト保持ステップを続行することを特徴とする電気泳動表示装置の駆動方法。
【請求項３】
請求項１又は請求項２に記載の電気泳動表示装置の駆動方法であって、
前記短期インターバルステップでは、前記第１の電極に前記画像書込みステップ時と同等の電位を入力し、前記第２の電極をハイインピーダンスとすることを特徴とする電気泳動表示装置の駆動方法。
【請求項４】
請求項１から請求項３の何れか１項に記載の電気泳動表示装置の駆動方法であって、
前記コントラスト保持ステップの後に、
前記第１の電極及び前記第２の電極を５分以上６０分以下の期間ハイインピーダンスとする長期インターバルステップと、
前記第１の電極と前記第２の電極との間に前記画像書込みステップ時と同等の電位差を発生させるパルスを前記第１の電極に入力するリフレッシュパルス入力ステップと、
を行うリフレッシュステップを有することを特徴とする電気泳動表示装置の駆動方法。
【請求項５】
対向する第１の電極と第２の電極との間に電気泳動粒子を含んだ電気泳動素子を挟持し、複数の画素からなる表示部を有する電気泳動表示装置の駆動方法であって、
前記画素ごとに設けられた複数の前記第１の電極の各々に第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込みステップと、
前記画像書き込みステップ後に少なくとも１回行うコントラスト保持ステップと、
前記コントラスト保持ステップの後に行うリフレッシュステップと、を備えており、
前記コントラスト保持ステップは、前記第２の電極と全ての前記第１の電極とを、５秒以下の期間ハイインピーダンスとする短期インターバルステップと、前記第２の電極に前記基準パルスを少なくとも１周期印加するとともに、前記基準パルスが印加されている期間に複数の前記第１の電極の各々に前記画像書込みステップにて印加された電位と同じ電位を印加する補助パルス入力ステップと、を有し、
前記リフレッシュステップは、前記第１の電極及び前記第２の電極を５分以上６０分以下の期間ハイインピーダンスとする長期インターバルステップと、前記第１の電極と前記第２の電極との間に前記画像書込みステップ時と同等の電位差を発生させるパルスを前記第１の電極に入力するリフレッシュパルス入力ステップと、を有することを特徴とする電気泳動表示装置の駆動方法。
【請求項６】
請求項５に記載の電気泳動表示装置の駆動方法であって、
前記コントラスト保持ステップを複数回行うことを特徴とする電気泳動表示装置の駆動方法。
【請求項７】
対向する第１の電極と第２の電極との間に電気泳動粒子を含んだ電気泳動素子を挟持し、複数の画素からなる表示部と、前記画素に接続された制御部とを有する電気泳動表示装置であって、
前記制御部は、前記画素ごとに設けられた複数の前記第１の電極の各々に第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込み動作と、
前記画像書込み動作後の複数回のコントラスト保持動作と、を行い、
前記コントラスト保持動作は、前記第２の電極と全ての前記第１の電極とを、５秒以下の期間ハイインピーダンスとする短期インターバル動作と、前記第２の電極に前記基準パルスを少なくとも１周期印加するとともに、前記基準パルスが印加されている期間に複数の前記第１の電極の各々に前記画像書込み動作にて印加された電位と同じ電位を印加する補助パルス入力動作と、を有し、
前記短期インターバル動作の期間が、複数回の前記コントラスト保持動作ごとに異なることを特徴とする電気泳動表示装置。
【請求項８】
請求項７に記載の電気泳動表示装置であって、
前記制御部は、次の前記画像書込み動作まで前記コントラスト保持動作を続行することを特徴とする電気泳動表示装置。
【請求項９】
請求項７又は請求項８に記載の電気泳動表示装置であって、
前記短期インターバル動作が、前記第１の電極に前記画像書込み動作時と同等の電位を入力し、前記第２の電極をハイインピーダンスとする動作であることを特徴とする電気泳動表示装置。
【請求項１０】
請求項７から請求項９の何れか１項に記載の電気泳動表示装置であって、
前記制御部は、前記コントラスト保持動作の後に、
前記第１の電極及び前記第２の電極を５分以上６０分以下の期間ハイインピーダンスとする長期インターバル動作と、
前記第１の電極と前記第２の電極との間に前記画像書込み動作時と同等の電位差を発生させるパルスを前記第１の電極に入力するリフレッシュパルス入力動作と、を有するリフレッシュ動作を行うことを特徴とする電気泳動表示装置。
【請求項１１】
対向する第１の電極と第２の電極との間に電気泳動粒子を含んだ電気泳動素子を挟持し、複数の画素からなる表示部と、前記画素に接続された制御部とを有する電気泳動表示装置であって、
前記制御部は、前記画素ごとに設けられた複数の前記第１の電極の各々に第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込み動作と、
前記画像書込み動作後の少なくとも１回のコントラスト保持動作と、
前記コントラスト保持動作後のリフレッシュ動作と、を行い、
前記コントラスト保持動作は、前記第２の電極と全ての前記第１の電極とを、５秒以下の期間ハイインピーダンスとする短期インターバル動作と、前記第２の電極に前記基準パルスを少なくとも１周期印加するとともに、前記基準パルスが印加されている期間に複数の前記第１の電極の各々に前記画像書込み動作にて印加された電位と同じ電位を印加する補助パルス入力動作と、を有し、
前記リフレッシュ動作は、前記コントラスト保持動作の後に、前記第１の電極及び前記第２の電極を５分以上６０分以下の期間ハイインピーダンスとする長期インターバル動作と、
前記第１の電極と前記第２の電極との間に前記画像書込み動作時と同等の電位差を発生させるパルスを前記第１の電極に入力するリフレッシュパルス入力動作と、を有することを特徴とする電気泳動表示装置。
【請求項１２】
請求項１１に記載の電気泳動表示装置であって、
前記制御部は、前記コントラスト保持動作を複数回行うことを特徴とする電気泳動表示装置。
【請求項１３】
請求項７から請求項１２の何れか１項に記載の電気泳動表示装置であって、
前記画素と前記制御部とが、前記画素ごとに設けられた画素回路を介して接続されており、
前記画素回路が、記憶装置を備えていることを特徴とする電気泳動表示装置。
【請求項１４】
請求項７から請求項１３の何れか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関する。
【背景技術】
【０００２】
電気泳動表示装置は、電気泳動素子を挟んで対向する画素電極と共通電極との間に電位差を与えて、電気泳動粒子を移動させることで画像を表示する。また、電気泳動表示装置は、画素電極と共通電極との間の電位差が生じていない状態でも、表示された画像を保持するメモリ性を有するという特徴がある。（例えば、特許文献１を参照）
【０００３】
しかし、実際には、電気泳動表示装置に画像が表示されてから一定の時間が経過すると、各電極に集まった電気泳動粒子の一部が拡散してしまう。その結果、白表示された画像の反射率は低下し、黒表示された画像の反射率は上昇するので、表示画像のコントラストが低下してしまうという問題があった。そこで、低下したコントラストを向上させるために、画像書込み後において、１０分から１０数時間の間隔ごとに、リフレッシュ動作を行う駆動方法に関する提案がなされている。（例えば、特許文献２を参照）
【特許文献１】特開２００２−１１６７３３号公報
【特許文献２】特開平３−２１３８２７号公報
【発明の開示】
【発明が解決しようとする課題】
【０００４】
前述したリフレッシュ動作は、画像が表示されてから１０分以上経過して低下したコントラストを向上させるための動作である。ところが、本発明者等は、これとは別に、画像を書き込んだ直後のわずか数秒の間に、コントラストが低下するキックバックと呼ばれる現象を確認した。
【０００５】
図２０は、従来の電気泳動表示装置における画像書込みのタイミングチャートを示す図である。図２０では、白表示するセグメントのセグメント電極１０３５Ｗ、黒表示するセグメントのセグメント電極１０３５Ｂ、および共通電極１０３７に入力される電位が示されている。また、図２０では、画像を表示する画像書込み期間、および表示された画像を保持する画像保持期間が示されている。なお、セグメント駆動方式の電気泳動表示装置の構成は、図１、図２、及び図４に示されている。図２０におけるセグメント電極１０３５Ｗ、１０３５Ｂは、図２において隣接する２つのセグメント４０のセグメント電極３５に対応し、共通電極１０３７は共通電極３７に対応している。
【０００６】
図２１は、従来の電気泳動表示装置における反射率の変化の測定結果を示す図である。図２１における、符号１００１は白表示の反射率、符号１００２は黒表示の反射率を示している。
【０００７】
画像書込み期間は、セグメント電極１０３５Ｂに高電位、セグメント電極１０３５Ｗに低電位が入力される。共通電極１０３７には、高電位と低電位とを繰り返すパルスが入力される。図２１では、およそ０．５ｓから画像書込み期間となり、およそ０．５ｓ間継続して行われる。これにより、白表示の反射率が上昇し、黒表示の反射率が低下する。
【０００８】
画像書込み期間が完了すると、画像保持期間に移行する。画像保持期間は、セグメント電極１０３５Ｂ、１０３５Ｗ、及び共通電極１０３７を電気的に孤立させハイインピーダンス状態にする。
しかし、画像書込み期間の終了直後に、白表示の反射率が急激に低下しており、黒表示の反射率も緩やかであるが上昇している。すなわち、画像保持期間に移行するとすぐにコントラストが低下していることがわかる。この問題となる現象が、本発明者等が知見したキックバック現象である。
また、キックバックによるコントラストの下げ幅は、後述する通り、電気泳動素子の湿度に依存することが、発明者等の実験によって確認されている。
【０００９】
本発明は、上記の問題点に鑑みなされたものであって、画像書込み後において高コントラストの画像を維持することができる電気泳動表示装置の駆動方法、電気泳動表示装置、及び電子機器を提供することを目的の一つとする。
【課題を解決するための手段】
【００１０】
本発明に係る電気泳動表示装置の駆動方法、電気泳動表示装置、及び電子機器は、以下の特徴を備えている。
【００１１】
本発明の電気泳動表示装置の駆動方法は、対向する第１の電極と第２の電極との間に電気泳動粒子を含んだ電気泳動素子を挟持し、複数の画素からなる表示部を有する電気泳動表示装置の駆動方法であって、前記画素ごとに設けられた複数の前記第１の電極の各々に第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込みステップと、前記画像書き込みステップ後に複数回行うコントラスト保持ステップと、を備えており、前記コントラスト保持ステップは、前記第２の電極と全ての前記第１の電極とを、５秒以下の期間ハイインピーダンスとする短期インターバルステップと、前記第２の電極に前記基準パルスを少なくとも１周期印加するとともに、前記基準パルスが印加されている期間に複数の前記第１の電極の各々に前記画像書込みステップにて印加された電位と同じ電位を印加する補助パルス入力ステップと、を有し、前記短期インターバルステップの期間が、複数回の前記コントラスト保持ステップごとに異なることを特徴とする。
また、対向する第１の電極と第２の電極との間に電気泳動粒子を含んだ電気泳動素子を挟持し、複数の画素からなる表示部を有する電気泳動表示装置の駆動方法であって、前記画素ごとに設けられた複数の前記第１の電極には、それぞれに第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込みステップの後に、前記第２の電極と全ての前記第１の電極とを、５秒以下の期間ハイインピーダンスとする短期インターバルステップと、前記第２の電極に前記基準パルスを少なくとも１周期印加するとともに、前記基準パルスが印加されている期間において、複数の前記第１の電極には、それぞれ前記画像書込みステップにて印加された電位と同じ電位を印加する補助パルス入力ステップと、を有するコントラスト保持ステップを、少なくとも１回以上行うことを特徴とする。
これにより、画像書込み直後の反射率低下を抑制することができるので、コントラスト低下を防止し、高コントラストの表示が得られる電気泳動表示装置の駆動方法とすることができる。
【００１２】
前記コントラスト保持ステップを複数回行うことが好ましい。
これにより、画像書込み直後における階調の反射率低下をさらに効果的に抑制することができるので、より高いコントラストを実現する電気泳動表示装置の駆動方法とすることができる。
【００１３】
複数回の前記コントラスト保持ステップごとに、前記短期インターバルステップの期間を変えることが好ましい。
これにより、キックバック解消のために必要な補助パルスの入力を前記画素のコントラストの変化に合わせて適切に設定できるので、効率的にコントラスト低下を防止し、高コントラストを実現する電気泳動表示装置を提供することができる。
【００１４】
次の前記画像書込みステップまで前記コントラスト保持ステップを続行することが好ましい。
これにより、次の画像が書き込まれる直前まで反射率低下を継続して抑制することができるので、常に高コントラストの表示を保持できる駆動方法となる。
【００１５】
前記短期インターバルステップでは、前記第１の電極に前記画像書込みステップ時と同等の電位を入力し、前記第２の電極をハイインピーダンスとすることが好ましい。
これにより、前記短期インターバルステップにおいて前記第１の電極に入力された電位がリセットされないので、前記補助パルス入力ステップにおいて、前記第１の電極への電位の再入力が不要になる。したがって、前記制御部の負荷を抑えた電気泳動表示装置の駆動方法とすることができる。
【００１６】
前記コントラスト保持ステップの後に、前記第１の電極及び前記第２の電極を５分以上６０分以下の期間ハイインピーダンスとする長期インターバルステップと、前記第１の電極と前記第２の電極との間に前記画像書込みステップ時と同等の電位差を発生させるパルスを前記第１の電極に入力するリフレッシュパルス入力ステップと、を行うリフレッシュステップを有することが好ましい。
これにより、前記コントラスト保持ステップの後の期間における反射率低下を抑制することができるので、より長時間にわたって高コントラストの表示が得られる電気泳動表示装置の駆動方法とすることができる。
【００１７】
前記短期インターバルステップは２００ｍｓ以上であることが好ましい。
これにより、画像書込み直後に前記第１の電極及び前記第２の電極に再度電圧を印加することによる前記画素への過剰な書込みを回避することができる。したがって、過剰書込みによるコントラスト低下を防止でき、高コントラストを実現する電気泳動表示装置の駆動方法とすることができる。
【００１８】
前記補助パルス入力ステップにおける前記パルスのパルス幅を１ｍｓ以上２０ｍｓ以下に設定することが好ましい。
すなわち、前記補助パルス入力ステップにおけるパルス幅は前記画像書込みステップにおけるパルス幅よりも短くすることが好ましい。前記補助パルス入力ステップにおける反射率の変化量は前記画像書込みステップにおける反射率の変化量に比して小さいので、かかる反射率変化に合わせて入力電力を小さくすることで、前記画素への過剰な書込みを回避し、過剰書込みによるコントラスト低下を防止することができる。
【００１９】
前記コントラスト保持ステップを繰り返すごとに、前記補助パルス入力ステップの期間を短くすることが好ましい。
このように前記コントラスト保持ステップを繰り返すごとに前記短期インターバルステップの期間を短くすることで、前記コントラスト保持ステップを繰り返すごとに変化する反射率の変化幅に合わせて前記短期インターバルステップの期間を設定できる。これにより少ない電力で効率的に高コントラストの表示を得ることができる。
【００２０】
本発明の電気泳動表示装置は、対向する第１の電極と第２の電極との間に電気泳動粒子を含んだ電気泳動素子を挟持し、複数の画素からなる表示部と、前記画素に接続された制御部とを有する電気泳動表示装置であって、前記制御部は、前記画素ごとに設けられた複数の前記第１の電極には、それぞれに第１の電位又は第２の電位を印加するとともに、複数の前記画素に共通な前記第２の電極には前記第１の電位と第２の電位とを所定の周期で繰り返す基準パルスを印加することにより、前記表示部に画像を書き込む画像書込み動作の後に、前記第２の電極と全ての前記第１の電極とを、５秒以下の期間ハイインピーダンスとする短期インターバル動作と、前記第２の電極に前記基準パルスを少なくとも１周期印加するとともに、前記基準パルスが印加されている期間において、複数の前記第１の電極には、それぞれ前記画像書込み動作にて印加された電位と同じ電位を印加する補助パルス入力動作と、を有するコントラスト保持動作を、少なくとも１回以上行うことを特徴とする。
この構成によれば、画像書込み後の補助パルス入力によって画像書込み直後の反射率低下を抑制することができる。したがって、コントラスト低下を防止し、高コントラストを実現する電気泳動表示装置を提供することができる。
【００２１】
前記制御部は、前記コントラスト保持動作を複数回行うことが好ましい。
これにより、画像書込み直後における反射率低下をさらに効果的に抑制することができるので、より高いコントラストを実現する電気泳動表示装置を提供することができる。
【００２２】
複数回の前記コントラスト保持動作ごとに、前記短期インターバル動作の期間が異なることが好ましい。
これにより、キックバック解消のために必要な補助パルスの入力を前記画素のコントラストの変化に合わせて適切に設定できるので、効率的にコントラスト低下を防止し、高コントラストを実現する電気泳動表示装置を提供することができる。
【００２３】
前記制御部は、次の前記画像書込み動作まで前記コントラスト保持動作を続行することが好ましい。
これにより、次の画像が書き込まれる直前まで反射率低下を継続して抑制することができるので、コントラスト低下を継続して防止し、高コントラストを実現する電気泳動表示装置を提供することができる。
【００２４】
前記短期インターバル動作が、前記第１の電極に前記画像書込み動作時と同等の電位を入力し、前記第２の電極をハイインピーダンスとする動作であることが好ましい。
これにより、前記短期インターバルステップにおいて前記第１の電極に入力された電位がリセットされないので、前記補助パルス入力ステップにおいて、前記第１の電極への電位の再入力に伴う前記制御部の負荷を抑えた電気泳動表示装置を提供することができる。
【００２５】
前記制御部は、前記コントラスト保持動作の後に、前記第１の電極及び前記第２の電極を５分以上６０分以下の期間ハイインピーダンスとする長期インターバル動作と、前記第１の電極と前記第２の電極との間に前記画像書込み動作時と同等の電位差を発生させるパルスを前記第１の電極に入力するリフレッシュパルス入力動作と、を有するリフレッシュ動作を行うことが好ましい。
これにより、前記コントラスト保持ステップの期間以上にわたる反射率低下を抑制することができるので、より長時間にわたってコントラスト低下を防止し、高コントラストを実現する電気泳動表示装置を提供することができる。
これにより、前記コントラスト保持動作の後の期間における反射率低下を抑制することができるので、より長時間にわたって高コントラストの表示が得られる電気泳動表示装置を提供することができる。
【００２６】
前記画素と前記制御部とが、前記画素ごとに設けられた画素回路を介して接続されており、前記画素回路が、記憶装置を備えていることが好ましい。
これにより、前記画像書込み動作において前記第１の電極に入力された電位を、前記記憶装置に保持できるので、前記補助パルス入力動作及び前記リフレッシュパルス入力動作における、前記第１の電極への電位の再入力に必要となる前記制御部の負荷を抑えた電気泳動表示装置を提供することができる。
【００２７】
前記制御部は、前記短期インターバル動作を２００ｍｓ以上行うことが好ましい。
これにより、画像書込み直後に前記第１の電極及び前記第２の電極に再度電圧を印加することによる前記画素への過剰な書込みを回避することができる。したがって、過剰書込みによるコントラスト低下を防止でき、高コントラストを実現する電気泳動表示装置を提供することができる。
【００２８】
前記制御部は、前記補助パルス入力動作における前記パルスのパルス幅を１ｍｓ以上２０ｍｓ以下に設定することが好ましい。
すなわち、補助パルス入力動作におけるパルス幅は画像書込み動作におけるパルス幅よりも短くすることが好ましい。補助パルス入力動作における反射率の変化量は前記画像書込み動作における反射率の変化量に比して小さいので、かかる反射率変化に合わせて入力電力を小さくすることで、前記画素への過剰な書込みを回避し、過剰書込みによるコントラスト低下を防止することができる。
【００２９】
前記制御部は、前記コントラスト保持動作を繰り返すごとに、前記補助パルス入力動作の期間を短くすることが好ましい。
このように前記コントラスト保持動作を繰り返すごとに前記短期インターバル動作の期間を短くすることで、前記コントラスト保持動作を繰り返すごとに変化する反射率の変化幅に合わせて前記短期インターバル動作の期間を設定できる。これにより少ない電力で効率的に高コントラストの表示を得ることができる。
【００３０】
本発明の電子機器は、前記電気泳動表示装置を備えていることを特徴とする。
これにより、画像書込み直後の反射率低下を抑制することができるので、コントラスト低下を防止し、高コントラストの表示が得られる電子機器を提供することができる。
【発明を実施するための最良の形態】
【００３１】
［第１の実施形態］
（電気泳動表示装置の構成）
以下に、図面を用いて本発明における電気泳動表示装置について説明する。なお、本実施形態では、セグメント駆動方式の電気泳動表示装置について説明する。
【００３２】
また、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００３３】
図１は、セグメント駆動方式の電気泳動表示装置１の模式平面図である。電気泳動表示装置１は、複数のセグメント（画素）４０が配置された表示部５と、電圧制御回路（制御部）６０とを備えている。電圧制御回路６０と各セグメント４０とが、セグメント電極駆動配線６１及び共通電極駆動配線６２を介して電気的に接続されている。
セグメント駆動方式は、電圧制御回路６０から各セグメント４０に直接画像データに基づいた電位が入力される駆動方式である。
【００３４】
図２は、電気泳動表示装置１の断面構造とともに電気的構成を示した図である。表示部５は、第１の基板３４上に複数のセグメント電極（第１の電極）３５を備えた基板３０と、第２の基板３６上に共通電極（第２の電極）３７を備えた対向基板３１と、電気泳動粒子（図示は省略）を内部に封入した複数のマイクロカプセル８０からなる電気泳動素子３２とを備えている。電気泳動素子３２は、互いに対向するセグメント電極３５、及び共通電極３７により挟持されている。
セグメント電極３５はそれぞれのセグメント４０に対応して形成されており、共通電極３７はすべてのセグメント４０に共通の電極である。電気泳動表示装置１は共通電極３７側に画像を表示する構成である。
【００３５】
各セグメント電極３５は、セグメント電極駆動配線６１とスイッチ６５とを介して電圧制御回路６０と電気的に接続されている。共通電極３７は、共通電極駆動配線６２とスイッチ６５とを介して電圧制御回路６０と電気的に接続されている。
【００３６】
図３は、マイクロカプセル８０の模式断面図である。マイクロカプセル８０は、例えば５０μｍ程度の粒径を有する。マイクロカプセル８０の材質としては、ポリメタクリル酸メチル、ポリメタクリル酸エチルなどのアクリル樹脂、ユリア樹脂、ゼラチンなどの透光性を持つ高分子樹脂を採用することができる。
【００３７】
マイクロカプセル８０の内部には、分散媒８１と、複数の白色粒子（電気泳動粒子）８２と、複数の黒色粒子（電気泳動粒子）８３とが封入されている。
【００３８】
分散媒８１は、白色粒子８２と黒色粒子８３とをマイクロカプセル８０内に分散させる液体である。分散媒８１の材質としては、例えば水、メタノール、エタノール、イソプロパノール、ブタノール、オクタノール、メチルセルソルブなどのアルコール系溶媒、酢酸エチル、酢酸ブチルなどのエステル類、アセトン、メチルエチルケトン、メチルイソブチルケトンなどのケトン類、ぺンタン、ヘキサン、オクタンなどの脂肪族炭化水素、シクロへキサン、メチルシクロへキサンなどの脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタン等のハロゲン化炭化水素、カルボン酸塩又はその他の種々の油類などの単独又はこれらの混合物に界面活性剤等を配合したものを採用することができる。
【００３９】
白色粒子８２は、例えば、二酸化チタン、亜鉛華、三酸化アンチモン等の白色顔料からなる粒子（高分子あるいは無機）であり、例えば負に帯電されている。
黒色粒子８３は、例えば、アニリンブラック、カーボンブラック等の黒色顔料からなる粒子（高分子あるいは無機）であり、例えば正に帯電されている。
【００４０】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００４１】
図４は、白色粒子８２、黒色粒子８３の動作を説明する図である。また図４では、白色粒子８２及び黒色粒子８３の運動を比較できるように、白表示及び黒表示を行うセグメント４０Ｂ及びセグメント４０Ｗを並べて示している。
図４において、第１の電極としてのセグメント４０Ｂの画素電極３５Ｂと、セグメント４０Ｗの画素電極３５Ｗとには、それぞれに画像データに応じた電位が印加される。具体的には、白表示を行うための画素電極３５Ｗには、第１の電位である低電位（Ｌ）が印加される。また、黒表示を行うための画素電極３５Ｂには、第２の電位である高電位（Ｈ）が印加される。
他方、共通電極３７には、第１の電位としての低電位（Ｌ）と、第２の電位としての高電位（Ｈ）とを所定の周期で繰り返す基準パルスが印加される。
このような駆動方法を本願においては「コモン振り駆動」と呼ぶ。また、コモン振り駆動の定義としては、画像書き替え期間において、共通電極３７に高電位（Ｈ）と低電位（Ｌ）とを繰り返すパルスが少なくとも１周期以上印加される駆動方法のことである。
このコモン振り駆動方法によれば、画素電極と共通電極とに印加する電位を高電位（Ｈ）と低電位（Ｌ）との２値により制御可能であるため、低電圧化が図れるとともに、回路構成をシンプルにすることができる。また、各画素電極３５（３５Ｂ、３５Ｗ）のスイッチング素子としてＴＦＴ（Thin Film Transistor）を用いた場合には、低電圧駆動によりＴＦＴの信頼性を確保することができるというメリットがある。
【００４２】
図４（ａ）は、共通電極３７にコモン振り駆動における一周期目のパルスの低電位（Ｌ）が印加されたときの態様を示している。
画素４０Ｂにおいて、共通電極３７には低電位（Ｌ）が、セグメント電極３５Ｂに高電位（Ｈ）が、それぞれ印加されるため、正に帯電した黒色粒子８３は共通電極３７に引き寄せられ、また、負に帯電した白色粒子８２はセグメント電極３５Ｂに引き寄せられる。
他方、画素４０Ｗにおいては、共通電極３７とセグメント電極３５Ｗとに、共に低電位（Ｌ）が印加されているため、電位差が発生せず、各粒子は移動しない。
【００４３】
図４（ｂ）は、共通電極３７に一周期目のパルスにおける高電位（Ｈ）が印加されたときの態様を示している。
画素４０Ｗにおいて、共通電極３７には高電位（Ｈ）が、セグメント電極３５Ｗに低電位（Ｌ）が、それぞれ印加されるため、正に帯電した黒色粒子８３はセグメント電極３５Ｗに引き寄せられ、また、負に帯電した白色粒子８２は共通電極３７に引き寄せられる。
他方、画素４０Ｂにおいては、共通電極３７とセグメント電極３５Ｂとに、共に高電位（Ｈ）が印加されているため、電位差が発生せず、各粒子は移動せず、その状態を維持する。
【００４４】
図４（ｃ）は、コモン振り駆動における一周期のパルスが印加された直後の態様を示している。
画素４０Ｂにおいては、セグメント電極３５Ｂ側に白色粒子８２が集まり、共通電極３７側に黒色粒子８３が集まっているため、表示面となる共通電極３７側の黒表示が観察される。
画素４０Ｗにおいては、セグメント電極３５Ｗ側に黒色粒子８３が集まり、共通電極３７側に白色粒子８２が集まっているため、表示面となる共通電極３７側の白表示が観察される。
【００４５】
なお、白色粒子８２、黒色粒子８３に用いる顔料を、例えば赤色、緑色、青色などの顔料に代えることで、表示部５に赤色、緑色、青色などを表示することができる。
【００４６】
（電気泳動表示装置の駆動方法）
以下、本発明の電気泳動表示装置の駆動方法について図面を参照して説明する。
図５は、第１の駆動方法に係るタイミングチャートを示す図である。
本発明の電気泳動表示装置は、画像の書込み直後に低下する白表示の反射率を上昇させ、画像の書込み直後に上昇する黒表示の反射率を低下させることで、高コントラストを実現する駆動方法を採用している。第１の実施形態にかかる駆動方法は、画像書込みステップの後にコントラスト保持ステップを複数回行う駆動方法である。
なお、画像書込みステップは、図２０における画像書込み期間と同一であり、表現を変えたものである。
【００４７】
図５に示すように、本実施形態に係る駆動方法は、画像書込みステップと、コントラスト保持ステップとを有している。図５に示すタイミングチャートは、図４に示したセグメント４０Ｂ（黒表示）と、セグメント４０Ｗ（白表示）とに対応しており、共通電極３７、セグメント４０Ｂのセグメント電極３５Ｂ、セグメント４０Ｗのセグメント電極３５Ｗに入力される電位が示されている。
【００４８】
画像書込みステップでは、各セグメント４０に対して表示画像に基づく電圧を供給し、表示部３０に所望の画像を表示させる。
画像書込みステップにおいて、共通電極３７には、低電位（Ｌ）と高電位（Ｈ）とを周期的に繰り返す基準パルスを入力する。本実施形態の場合、共通電極３７に供給する基準パルスは、低電位（Ｌ；０Ｖ）の期間が２０ｍｓ、高電位（Ｈ；１５Ｖ）の期間（パルス幅）が２０ｍｓである周期４０ｍｓのパルスである。また、黒表示するセグメント４０Ｂのセグメント電極３５Ｂに高電位（Ｈ）を入力し、白表示するセグメント電極３５Ｗには低電位（Ｌ）を入力する。
【００４９】
このようなパルス幅と周期を持つパルスであれば、白色粒子８２、黒色粒子８３にかかる負荷を抑えながら画像を書き込むことができるので、画像の過剰書込みを防止して反射率の戻り幅を抑えることができる。
【００５０】
共通電極３７に低電位（Ｌ）が入力されている期間は、共通電極３７とセグメント電極３５Ｂとの間に電位差が生じるので、黒色粒子８３が共通電極３７側に移動し、白色粒子８２がセグメント電極３５Ｂ側に移動する。
一方、共通電極３７に高電位（Ｈ）が入力されている期間は、共通電極３７とセグメント電極３５Ｗとの間に電位差が生じるので、白色粒子８２が共通電極３７側に移動し、黒色粒子８３がセグメント電極３５Ｗ側に移動する。
これらの動作を繰り返し行うコモン振り駆動によって、セグメント４０Ｂは黒表示され、セグメント４０Ｗは白表示される。
【００５１】
画像書込みステップが完了すると、コントラスト保持ステップに移行する。コントラスト保持ステップでは、短期インターバルステップと、補助パルス入力ステップとを行う。
まず、短期インターバルステップについて説明する。短期インターバルステップでは、セグメント電極３５Ｂ、３５Ｗ及び共通電極３７を電気的に切断し、ハイインピーダンス状態とする。
【００５２】
短期インターバルステップの期間は、２００ｍｓ以上５ｓ以下である。短期インターバルステップの期間が２００ｍｓ未満では、画像書込みから反射率がほとんど変化していない状態で補助パルス入力ステップを実行することになり、所期の効果を得ることができない。また、結果的に過剰書込みとなってコントラストが更に低下してしまうおそれもある。
一方、短期インターバルステップの期間が５ｓを超えると、白表示の反射率の下げ幅が大きく、黒表示の反射率の上げ幅が大きくなるためコントラストが大幅に低下する。この状態で補助パルス入力ステップを実行すると、補助パルス入力ステップにおける反射率の変化が使用者に視認され、表示がちらついて見える（フラッシングともいう）ために使用者に視覚的なストレスを与えてしまう。
【００５３】
続いて、補助パルス入力ステップについて説明する。
補助パルス入力ステップでは、共通電極３７に、低電位（Ｌ）の期間と高電位（Ｈ）の期間とを有する補助パルスを１周期分入力する。この補助パルスは、画像書込みステップにおける基準パルスと同様、低電位０Ｖ、高電位１５Ｖ、パルス幅２０ｍ秒（周期４０ｍ秒）のパルスである。また、セグメント電極３５Ｂに高電位（Ｈ；１５Ｖ）、及びセグメント電極３５Ｗには低電位（Ｌ；０Ｖ）が入力される。
これにより、共通電極３７に低電位（Ｌ）が入力されている期間は、セグメント４０Ｂにおいて共通電極３７とセグメント電極３５Ｂとの間に電位差が生じる。したがって、キックバックにより共通電極３７から拡散した一部の黒色粒子８３が再び共通電極３７に引き寄せられる。また、セグメント電極３５Ｂから拡散した白色粒子８２が再びセグメント電極３５Ｂに引き寄せられる。よって、セグメント３５Ｂにおける黒色の反射率が元に戻る。
【００５４】
一方、共通電極３７に高電位（Ｈ）が入力されている期間は、セグメント４０Ｗにおいて共通電極３７とセグメント電極３５Ｗとの間に電位差が生じる。したがって、共通電極３７から離れた白色粒子８２が再び共通電極３７に引き寄せられ、セグメント電極３５Ｗから離れた黒色粒子８３が再びセグメント電極３５Ｂに引き寄せられる。よって、セグメント３５Ｗにおける白色の反射率が再び上昇する。
【００５５】
本駆動方法では、上述した短期インターバルステップと補助パルス入力ステップとからなるコントラスト保持ステップを複数回繰り返して行う。これにより、１回目のコントラスト保持ステップの後に生じるコントラスト低下についても補償できる駆動方法となっている。すなわち、キックバックによるコントラスト低下は、画像書込みステップの後にほぼ一定の期間持続し、その間反射率が変化し続けるため、コントラスト保持ステップの実行後にも反射率の変動が続くことがある。そこで、電気泳動素子３２の状態が安定して反射率の変動が治まるまでの期間、コントラスト保持ステップを繰り返し実行することで、所望のコントラストを保持できるようにしている。
【００５６】
ここで図６は、本発明に係る駆動方法を用いた場合と、従来の駆動方法を用いた場合の反射率の変化を比較して示す図であり、（ａ）図は乾燥条件下、（ｂ）図は通常条件下における反射率の経時変化をそれぞれ測定した結果である。
なお、乾燥条件とは、電気泳動素子が含有する湿度が略０％Ｒｈであることを指す。図６（ａ）のグラフは、６０℃０％Ｒｈ以下の環境下で１週間保管した電気泳動素子を用いて取得したデータである。また、通常条件下とは、温度２５±２．５℃、相対湿度６５±２０％Ｒｈを指す。なお、図６（ｂ）のグラフは、通常条件下にて１週間保管されていた電気泳動素子を用いて取得したデータである。なお、図６（ａ）（ｂ）ともに、温度２５℃、相対湿度６５％ＲＨの環境下で測定したものである。
【００５７】
図６に結果を示す測定において、駆動方法以外の装置構成は、本発明のものと従来のものとで共通である。そして、本発明に係る駆動方法では、画像書込みステップの後に、コントラスト保持ステップを１０回繰り返し行っている。より詳細には、各回のコントラスト保持ステップにおいて、短期インターバルステップが８００ｍ秒、補助パルス入力ステップが４０ｍ秒（パルス幅２０ｍ秒で１周期）である。また比較のために示す従来の駆動方法は、コントラスト保持ステップを実行しない以外は本発明に係る駆動方法と同様である。
【００５８】
図６（ａ）、（ｂ）において、符号９１は本駆動方法による白表示の反射率、符号９２は本駆動方法による黒表示の反射率を示している。また、符号９３は従来の駆動方法による白表示の反射率、符号９４は従来の駆動方法による黒表示の反射率を示している。
【００５９】
図６（ａ）、（ｂ）に示すように、従来の駆動方法では画像書込み後に白表示の反射率が低下し、黒表示の反射率が上昇している。特に図６（ａ）に示す乾燥条件下では、白表示の反射率の低下が著しく、画像書込みから５秒程度でキックバック現象によって２０％以上反射率が低下している。また通常条件下でも白表示の反射率がキックバック現象によって５％程度低下しているのが解かる。
これに対して、本発明の駆動方法を採用することで、画像書込み時の反射率をほぼ維持できるようになることがわかる。特に、乾燥条件下では画像書込み直後に反射率が大きく低下するものの、コントラスト保持ステップを繰り返し実行することで、画像書込み時の反射率と同等にまで回復させることができる。
ちなみに、図６（ａ）における５０秒経過時のコントラストは、従来の駆動方法では４．０程度であったのに対して、本発明の駆動方法によれば、およそ８．７となり、コントラストの著しい改善が確認されている。なお、上記数値は、白表示の反射率と、黒表示の反射率との比を示したものである。
また、本発明の駆動方法によれば、通常条件下においては、画像書込み時の反射率をほぼ維持することができている。
さらに、本発明の駆動方法によれば、黒表示の反射率上昇も抑制することができ、結果として従来の駆動方法に比してコントラストを大きく上昇させることができる。
なお、図６（ａ）（ｂ）におけるキックバック現象の発生原因について、発明者等は、明確な理由を見出せずにいるが、通常条件下および乾燥条件下のいずれにおいても問題であるため、創意工夫を重ね、本発明の導出に至った次第である。
【００６０】
以上に説明した第１の実施形態に係る駆動方法によれば、次の効果を得ることができる。
まず、補助パルス入力ステップを行うことで、画像書込み直後の白表示の反射率低下を抑え、画像書込み直後の黒表示の反射率上昇を抑えることができるので、画像書込み直後のコントラスト低下を防止し、高コントラストの表示を実現することができる。
【００６１】
また、画像書込みステップ後のキックバックにより反射率が変動する期間に合わせて、コントラスト保持ステップを複数回行うことにより、キックバックによるコントラスト低下をほぼ完全に補償することができ、白表示と黒表示の双方で所期の反射率を得ることができる。そして、コントラスト保持ステップ後に画像保持期間に移行する際のコントラストが従来の駆動方法に比して高くなっているため、保持期間の経過に伴う表示品質の低下も小さくなり、総合的に高画質の表示を得ることができる。
なお、本実施形態ではコントラスト保持ステップの繰り返し回数を１０回としたが、この繰り返し回数に特に限定はなく、１回から数十回の範囲で適切な回数に設定すればよい。
【００６２】
なお、本実施形態では、補助パルスとして、画像書込みステップと同様の基準パルスを１周期分共通電極３７に供給しているが、共通電極３７に入力する補助パルスは１周期未満でもよく、１周期を超えるものであってもよい。補助パルスが１周期未満である場合には、高電位（Ｈ）の期間、又は低電位（Ｌ）の期間のみの信号が入力される可能性もあるが、高電位（Ｈ）の期間のみの信号であれば白表示の反射率低下を抑えることができ、低電圧（Ｌ）の期間のみの信号であれば黒表示の反射率上昇を抑えることができるので、いずれの場合にもコントラストの改善に効果がある。一方、補助パルスの繰り返し回数を増加させることで、反射率の変化を補償する効果が大きくなるので、電気泳動素子３２の特性に合わせて適切な繰り返し数に設定するとよい。
【００６３】
また本実施形態では、補助パルスのパルス幅を２０ｍ秒としているが、補助パルスのパルス幅は１ｍ秒〜４０ｍ秒程度の範囲で変更してもよい。すなわち、補助パルスの入力によるコントラストの回復効果が得られる範囲で短くすることができ、過剰書込みとなるおそれが生じない範囲で長くしてもよい。
また、補助パルスを基準パルスと同一周期とし、第２の電位のみのパルス幅を短くしても良い。補助パルスのパルス幅は、５ｍ秒〜２０ｍ秒の範囲とすることが好ましい。このような範囲とすることで補助パルス入力によるコントラストの回復効果を確実に得つつ、過剰書込みも生じにくくなる。
【００６４】
また、本実施形態では、補助パルス入力ステップにおける低電位のパルス幅と高電位のパルス幅とを同じ長さ（２０ｍ秒）としているが、これらを異なる時間に設定してもよい。例えば、低電位（Ｌ）の期間を２０ｍ秒、高電位（Ｈ）の期間を３０ｍ秒とすれば、白表示の時間は、黒表示の時間の１．５倍となる。これにより、黒表示の画素と白表示の画素との応答性の差異に対応して適切にコントラスト低下を補償することができる。
【００６５】
また、パルスの低電位（Ｌ）の期間及び高電位（Ｈ）の期間が同じである場合でも、補助パルス入力ステップのパルス数を奇数に設定すれば、低電位期間と高電位期間の長さを異ならせることができるので、上記と同様の効果を得られる。本実施形態の例では、補助パルス入力ステップのパルスを高電位（Ｈ）の期間から開始し、高電位（Ｈ）の期間で終わるようにすることで、白表示の時間を黒表示の時間より長くすることができる。
【００６６】
また本発明の駆動方法において、短期インターバルステップの期間は２００ｍｓ以上とすることが好ましい。２００ｍｓ未満のインターバルでは、画像書込み時からほとんど反射率が変化しない状態でさらに電極間に電圧を印加することになるので、過剰に書込みがなされたのと同様の現象が生じ、反射率の変動幅がさらに大きくなってしまうおそれがある。
したがって上記範囲とすることで、セグメント４０Ｂ、４０Ｗに過剰な書込みをせずに、画像書込み直後の白表示の反射率低下を抑え、画像書込み直後の黒表示の反射率上昇を抑え、高コントラストを実現することができる。
【００６７】
また本発明の駆動方法において短期インターバルステップの期間は５秒以下とすることが好ましい。これは、５秒を超えるインターバルを取るとキックバックにより反射率が大きく変動してしまい、その後のコントラスト保持ステップでの反射率の変動が使用者に視認されて不快感を与えるおそれがあることによる。
【００６８】
さらに本発明の駆動方法において、短期インターバルステップの期間は５００ｍ秒以上２秒以下とすることがより好ましい。このような範囲とすることで、短期インターバルステップが短すぎる場合の過剰書込みによるコントラスト低下と、長すぎる場合の表示のちらつきとの双方を良好に防止できる駆動方法となる。
【００６９】
［第２の実施形態］
第２の実施形態においても、図１、図２に示したセグメント駆動方式の電気泳動表示装置１に係る駆動方法について説明する。第２の実施形態に係る駆動方法は、コントラスト保持ステップを１回だけ行う駆動方法である。
【００７０】
図７は、第２の実施形態に係る駆動方法のタイミングチャートを示す図である。
図７に示すように、本実施形態の駆動方法も、画像書込みステップとコントラスト保持ステップとを有しており、コントラスト保持ステップを１回のみ実行した後は、各電極をハイインピーダンス状態とする。画像書込みステップとコントラスト保持ステップにおける動作の詳細は第１の実施形態と同様である。
【００７１】
第２の実施形態に係る駆動方法を行うことにより、次の効果を得ることができる。
補助パルス入力ステップを１回だけ行うことで、白色粒子８２及び黒色粒子８３への負荷を低減できるので、セグメント４０Ｂ、セグメント４０Ｗへの過剰書込みを防止することができる。
また、第１の実施形態の駆動方法よりは、効果が小さいものの、白表示の反射率が上昇し、黒表示の反射率が低下するので、コントラストを向上させることができる。
【００７２】
［第３の実施形態］
第３の実施形態においても、図１、図２に示したセグメント駆動方式の電気泳動表示装置１に係る駆動方法について説明する。第３の実施形態に係る駆動方法は、補助パルス入力ステップにおけるパルスの周期を、画像書込みステップにおけるパルスの周期より短くする駆動方法である。
【００７３】
図８は、第３の実施形態に係る駆動方法のタイミングチャートを示す図である。
図８に示すように、本実施形態の駆動方法は、画像書込みステップとコントラスト保持ステップとを有している。画像書込みステップにおける動作の詳細は、第１の実施形態と同様である。またコントラスト保持ステップのうち、短期インターバルステップについても第１の実施形態に係る駆動方法と同様である。
【００７４】
そして、補助パルス入力ステップでは、共通電極３７に入力される補助パルスのパルス幅を画像書込みステップにおいて共通電極３７に入力する基準パルスのパルス幅よりも短くなるように設定し、この補助パルスを共通電極３７に連続して入力する。補助パルスのパルス幅は、例えば、画像書込みステップにおけるパルス幅が２０ｍ秒であるときに、５ｍ秒にまで短くする。なお、図８に示すように、ここでいうパルス幅とは、コモン振り駆動の一周期における第２の電位（高電位：Ｈ）の期間を指しており、補助パルスの周期については、基準パルスと同一として説明している。
補助パルスのパルス幅は、画像書込みステップにおけるパルス幅に応じて、１ｍ秒から２０ｍ秒程度の範囲で適宜変更することができる。
【００７５】
また本実施形態では、補助パルス入力ステップにおいて、補助パルスを複数周期連続的に入力している。この補助パルスの繰り返し回数（補助パルス入力ステップの期間）は、特に限定されず、過剰書込み等の不具合が生じない範囲で回数を変更することができる。
例えば、短期インターバルステップの後、次の画像書込みステップ（次フレームの画像更新）までの間、補助パルス入力ステップを持続させてもよい。あるいは、補助パルスが１周期未満であってもよく、この場合には補助パルスとして高電位（Ｈ）の期間、又は低電位（Ｌ）の期間のみが設定されることもある。
あるいはまた、第１の実施形態と同様に、補助パルス入力ステップの１周期ごとに短期インターバルステップを設けてもよい。
また、補助パルスの周期については、基準パルスと同一であることに限定するものではなく、補助パルスのパルス幅が前述の期間となっていれば、基準パルスと異なる周期であっても良く、この方法であっても、上述した効果と同様な効果を得られるものである。
【００７６】
第３の実施形態に係る駆動方法を行うことにより次の効果を得ることができる。
補助パルス入力ステップにおいて、画像書込みステップのパルスよりも短いパルス幅の補助パルスを共通電極３７に入力するので、小刻みに電気泳動素子３２を駆動して反射率を戻す動作を行うことができる。したがって、白色粒子８２及び黒色粒子８３への負荷を低減でき、補助パルス入力ステップにおける過剰書込みを抑制しやすくなる。また、次の画像書込みステップまで補助パルス入力ステップを持続する駆動方法とすれば、常に高コントラストの表示を得ることができる。
【００７７】
［第４の実施形態］
第４の実施形態においても、図１、図２に示したセグメント駆動方式の電気泳動表示装置１に係る駆動方法について説明する。第４の実施形態に係る駆動方法は、補助パルス入力期間の後にリフレッシュステップを設けた駆動方法である。
【００７８】
図９は、第４の実施形態に係る駆動方法のタイミングチャートを示す図である。
図９に示すように、本実施形態の駆動方法は、画像書込みステップと、コントラスト保持ステップと、リフレッシュステップとを有する。これらのうち画像書込みステップ及びコントラスト保持ステップの動作の詳細は第２の実施形態と同様である。あるいは、第１の実施形態又は第３の実施形態と同様の動作とすることもできる。
【００７９】
リフレッシュステップは、長期インターバルステップとリフレッシュパルス入力ステップとを有しており、コントラスト保持ステップ以降における比較的長い期間でのコントラスト低下を抑制するためのステップである。
長期インターバルステップでは、コントラスト保持ステップの後、５分以上６０分以下の期間、セグメント電極３５Ｂ、３５Ｗ、及び共通電極３７を電気的に孤立させてハイインピーダンス状態にする。
リフレッシュパルス入力ステップでは、セグメント電極３５Ｂに高電位（Ｈ）と、セグメント電極３５Ｗに低電位（Ｌ）とを入力する。共通電極３７には、高電位（Ｈ）の期間と低電位（Ｌ）の期間とを繰り返すリフレッシュパルスを入力する。すなわち、画像書込みステップにおけるセグメント電極３５Ｂ、３５Ｗ、及び共通電極３７の電位状態となるパルスを各電極に入力する。
白表示の反射率を上昇させ、黒表示の反射率を低下させるために、共通電極３７に対して入力するリフレッシュパルスは少なくとも１周期以上の長さであることが好ましい。リフレッシュパルスを１周期未満とした場合には、リフレッシュパルスとして高電位（Ｈ）の期間又は低電位（Ｌ）の期間のみが設定されることもあるが、この場合は白表示又は黒表示の少なくとも一方については反射率の変動を補償することができる。
【００８０】
第４の実施形態に係る駆動方法によれば、補助パルス入力ステップの後の画像保持期間にリフレッシュステップを備えていることで、コントラスト保持ステップ以降にもコントラスト低下を効果的に抑制できるので、長時間にわたりコントラストを保持することができる。
【００８１】
［第５の実施形態］
第５の実施形態においても、図１、図２に示したセグメント駆動方式の電気泳動表示装置１に係る駆動方法について説明する。第５の実施形態に係る駆動方法は、コントラスト保持ステップを繰り返すごとに短期インターバルステップの期間を短くする駆動方法である。
【００８２】
図１０は、第５の実施形態に係る駆動方法のタイミングチャートを示す図である。
図１０に示すように、本実施形態の駆動方法は、画像書込みステップと、複数のコントラスト保持ステップとを有する。画像書込みステップの動作は、第１の駆動方法と同様である。
【００８３】
本実施形態の駆動方法において、コントラスト保持ステップは複数回繰り返し行われるが、繰り返すごとに短期インターバルステップの期間を短くする。例えば、１回目は８００ｍｓ、２回目は５００ｍｓ、３回目は３００ｍｓとする。各々の短期インターバルステップの期間は、上記の具体例に限定されず、電気泳動表示装置の表示特性に応じて適宜変更することが可能であるが、第１の実施形態で説明したように、過剰書込みによるコントラストの低下を防止するために、短期インターバルステップの期間は２００ｍｓ以上に設定する。補助パルス入力ステップにおける動作（パルス幅、期間、繰り返し回数等）は、先の実施形態に示したように種々の形態を取りうる。本実施形態では、複数回のコントラスト保持ステップにおいて補助パルス入力ステップの動作は同一である。
【００８４】
第５の実施形態に係る駆動方法を行うことにより、次の効果を得ることができる。
図６に示したように、複数回のコントラスト保持ステップを繰り返して実行すると、白表示の反射率が上昇して画像書込み時の反射率に近づき、反射率の変動幅は小さくなっていく。また黒表示の反射率についても同様の傾向となる。
そこで本実施形態では、複数回のコントラスト保持ステップを繰り返すごとに短期インターバルステップの期間を短くすることで、画像書込み時の反射率に迅速に近づけるようにしている。これにより、同一期間の短期インターバルステップを繰り返す場合に比してコントラストの回復に要する時間を短縮することができ、電気泳動表示装置における消費電力の低減を図ることができる。
【００８５】
［第６の実施形態］
第６の実施形態においても、図１、図２に示したセグメント駆動方式の電気泳動表示装置１に係る駆動方法について説明する。第６の実施形態に係る駆動方法は、コントラスト保持ステップの短期インターバルステップにおいて、共通電極３７を電気的に切断し、セグメント電極３５Ｂ、３５Ｗには、画像書込みステップにおける電位を継続して入力する駆動方法である。
【００８６】
図１１は、第６の駆動方法に係るタイミングチャートを示す図である。
図１１に示すように、本実施形態の駆動方法は、画像書込みステップと、複数のコントラスト保持ステップとが示されている。画像書込みステップは、第１の駆動方法と同様であるので説明を省略する。
コントラスト保持ステップは、短期インターバルステップと補助パルス入力ステップとを行う。短期インターバルステップでは、共通電極３７は電気的に切断されているとともに、セグメント電極３５Ｂ、３５Ｗには、画像書込み動作において入力された電位がそのまま継続して入力される。すなわち、セグメント電極３５Ｂには高電位（Ｈ）、及びセグメント電極３５Ｗには低電位（Ｌ）が入力される。
補助パルス入力ステップは、第１から第５の駆動方法と同様にすることができるので説明は省略する。
【００８７】
第６の実施形態にかかる駆動方法を行うことにより、前述した各実施形態と同様に、画像書込み後において高コントラストの画像を維持することができるとともに、次の効果を得ることができる。
短期インターバルステップでは、画像書込みステップにおいてセグメント電極３５Ｂ、３５Ｗに入力された電位が保持されるので、補助パルス入力ステップに移行しても、セグメント電極３５Ｂ、３５Ｗへの電位の再入力を行う必要がなく、電圧制御回路６０の負荷を抑えることができる。
なお、上述した各実施形態は、セグメント駆動方式の電気泳動表示装置に適用するものとして説明したが、これに限定するものではない。例えば、後述する図１２に示されるような、アクティブマトリクス駆動方式の電気泳動表示装置にも、同様に適用することが可能であり、この場合であっても、各実施形態が奏する効果と同様な効果を得ることができるものである。
【００８８】
［第７の実施形態］
第７の実施形態に係る駆動方法は、アクティブマトリクス駆動方式の電気泳動表示装置について説明する。
【００８９】
（電気泳動表示装置の構成）
図１２は、アクティブマトリクス駆動方式の電気泳動表示装置１００の模式平面図である。電気泳動表示装置１００は、複数の画素１４０がマトリクス状に配列された表示部１０５と、表示部１０５を取り囲むように配置された走査線駆動回路１６１及びデータ線駆動回路１６２と、コントローラ１６３とを備えている。走査線駆動回路１６１から表示部１０５に向かって複数の走査線１６１ａが延びており、データ線駆動回路１６２から表示部１０５に向かって複数のデータ線１６２ａが延びている。走査線駆動回路１６１及びデータ線駆動回路１６２は電気泳動表示装置１００の制御部であるコントローラ１６３と接続されている。
【００９０】
走査線駆動回路１６１と画素１４０とが、データ線駆動回路１６２の延在方向に沿って延びた複数の走査線１６１ａ（Ｙ１、Ｙ２、…、Ｙｍ）を介して接続されている。データ線駆動回路１６２と画素１４０とが、走査線駆動回路１６１の延在方向に沿って延びる複数のデータ線１６２ａ（Ｘ１、Ｘ２、…、Ｘｎ）を介して接続されている。
【００９１】
図１３は、画素１４０の回路構成図である。図１３に示すように、画素１４０は、スイッチング素子（画素回路）１４１と、８つのトランジスタを組み合わせたラッチ回路（記憶装置）１９０と、電気泳動素子１３２とを備えている。電気泳動素子１３２は、画素電極１３５と共通電極１３７とで挟持されている。
共通電極１３７は、すべての画素１４０に共通の電極である。また、電気泳動表示装置１００は、共通電極１３７側が画像の表示面となる。
【００９２】
スイッチング素子１４１は、例えば電界効果型のｎチャネルトランジスタであり、そのゲート部１４１ａが走査線１６１ａに接続され、入力端１４１ｂがデータ線１６２ａに接続され、出力端１４１ｃがラッチ回路１９０に接続されている。
【００９３】
ラッチ回路１９０は、並列に接続されたｐチャネルトランジスタ１９１、１９２と並列に接続されたｎチャネルトランジスタ１９５、１９６とで形成されるインバータ回路と、並列に接続されたｐチャネルトランジスタ１９３、１９４と並列に接続されたｎチャネルトランジスタ１９７、１９８とで形成されるインバータ回路とを組み合わせて構成されている。
ラッチ回路１９０は、入力端Ｎ１と出力端Ｎ２を有していて、入力端Ｎ１でｐチャネルトランジスタ１９２とｎチャネルトランジスタ１９５とが接続され、出力端Ｎ２でｐチャネルトランジスタ１９４とｎチャネルトランジスタ１９７とが接続されている。
ｐチャネルトランジスタ１９１、１９２、及びｎチャネルトランジスタ１９５、１９６のゲート部は、出力端Ｎ２及び画素電極１３５に接続され、ｐチャネルトランジスタ１９３、１９４、及びｎチャネルトランジスタ１９７、１９８のゲート部は、入力端Ｎ１及びスイッチング素子１４１に接続されている。
ｐチャネルトランジスタ１９１、１９３は高電位電源線１５０に接続され、ｎチャネルトランジスタ１９６、１９８は低電位電源線１４９に接続されている。
【００９４】
このような構成を有するラッチ回路１９０は、ＳＲＡＭ（Static Random Access Memory）であり、画像データとして入力端Ｎ１に高電位が入力された場合には出力端Ｎ２に低電位が現れ、画像データとして入力端Ｎ１に低電位が入力された場合には出力端Ｎ２に高電位が現れる。また、ラッチ回路１９０に入力された画像データは、ラッチ回路１９０の電源がオフになるまで保持されるので、画素電極１３５には安定した電位が入力される。
また、ラッチ回路１９０において、例えば、ｐチャネルトランジスタ１９１と、１９２というように、トランジスタを２つずつ並列（ダブルゲート）に設けているのは、リーク電流を低減するためである。この構成によれば、消費電力を低減することができる。なお、トランジスタを２つずつ設けることに限定するものではなく、例えば、トランジスタ１つずつのシングルゲートで構成しても良く、この場合には、構成がシンプルにできるため、画素回路の歩留まりが向上し、製造コストを低く抑えることができる。また、後述する図１５のラッチ回路、および、トランスミッションゲートの構成においても同様である。
【００９５】
（電気泳動表示装置の駆動方法）
第７の実施形態に係る駆動方法は、アクティブマトリクス駆動方式の電気泳動表示装置１００に係る駆動方法であり、コントラスト保持ステップの短期インターバルステップにおいて、高電位電源線１５０の電位を下げることで、ラッチ回路１９０を最低限の電位で駆動し画像データを保持する駆動方法である。
【００９６】
図１４は、第７の実施形態に係る駆動方法のタイミングチャートを示す図である。図１４に示すように、本実施形態に係る駆動方法は、画像書込みステップと、コントラスト保持ステップとを有している。
以下の説明では、画素１４０を、黒表示させる画素１４０と白表示させる画素１４０とに分けて説明する。
図１４では、共通電極１３７、低電位電源線１４９、及び高電位電源線１５０、黒表示する画素１４０の画素電極１３５Ｂ、入力端Ｎ１Ｂ、及び白表示する画素１４０の画素電極１３５Ｗ、入力端Ｎ１Ｗに入力される電位が示されている。
【００９７】
まず、画像書込みステップにおいては、画像データとして入力端Ｎ１Ｂに低電位（Ｌ）が入力されると、画素電極１３５Ｂには高電位（Ｈ）が印加される。また、画像データとして入力端Ｎ１Ｗに高電位（Ｈ）が入力されると、画素電極１３５Ｗには低電位（Ｌ）が印加される。また、共通電極１３７には、第１の実施形態において、共通電極３５に入力されるパルスと同様のパルスを入力して、画像を書き込む。
【００９８】
コントラスト保持ステップは、短期インターバルステップと補助パルス入力ステップとを有している。短期インターバルステップにおいては、共通電極１３７は、電気的に切断されて、ハイインピーダンス状態となっている。
また、高電位電源線１５０の電位を、ラッチ回路１９０を駆動することができる最低限の電位（Ｈ１）、具体的には、１Ｖとする。
ラッチ回路１９０を駆動することができる最低限の電位（Ｈ１）とは、ラッチ回路が記憶を保持することができる電位を指しており、ここでは１Ｖとしたが、ラッチ回路の特性によっては、より低い電位とすることも可能である。
これにより、短期インターバルステップにおいて、ラッチ回路１９０に画像データを保持することができる。このとき、画素電極１３５Ｂに電位（Ｈ１）と、画素電極１３５Ｗとには、低電位（Ｌ）を入力する。
なお、低電位電源線１４９の電位（Ｌ）が前述の電位（Ｈ１）より高く設定されている場合には、低電圧電源線１４９の電位を電位（Ｈ１）よりも下げて画像データの反転を防ぐ。
【００９９】
補助パルス入力ステップにおいては、高電位電源線１５０の電位を再び高電位（Ｈ）に戻し、画素電極１３５Ｂに高電位（Ｈ）を入力する。
また、共通電極１３７に第１から第６の駆動方法の何れか１つと同様の補助パルスを入力する。
なお、コントラスト保持ステップの期間、および繰り返し回数などは、前記各実施形態と同様に設定することができる。また、短期インターバルステップ、および、補助パルス入力ステップについても同様である。
【０１００】
第７の実施形態にかかる駆動方法を行うことにより、前述した各実施形態と同様に、画像書込み後において高コントラストの画像を維持することができるとともに、次の効果を得ることができる。
短期インターバルステップでラッチ回路１９０を低電位駆動させることで、画像書込みステップにおいてラッチ回路１９０に入力された画像データを保持できるので、補助パルス入力ステップにおいて、画素電極１３５Ｂ、１３５Ｗへの画像データの再入力を行わなくてよい。したがって、コントローラ１６３の負荷を抑えることができる。また、高電位電源線１５０の電位を下げているので、消費電力を抑えることができる。
【０１０１】
［第８の実施形態］
（電気泳動表示装置の構成）
【０１０２】
次に、アクティブマトリクス駆動方式の電気泳動表示装置１００において、スイッチ回路が設けられた画素２４０を備えた構成について説明する。
図１５は、スイッチ回路１７０を備えた画素２４０の回路構成図である。スイッチ回路１７０は、ラッチ回路１９０と画素電極１３５との間に配置されている。ラッチ回路１９０は、第７の実施形態で説明したものと同一である。
スイッチ回路１７０は、２つのトランスミッションゲート１７１、１７６を有している。トランスミッションゲート１７１は、並列に接続されたｎチャネルトランジスタ１７２、１７４、及び並列に接続されたｐチャネルトランジスタ１７３、１７５から構成されている。トランスミッションゲート１７１の入力端には第２の制御線１８２が接続されている。
トランスミッションゲート１７６は、並列に接続されたｎチャネルトランジスタ１７７、１７９、及び並列に接続されたｐチャネルトランジスタ１７８、１８０から構成されている。トランスミッションゲート１７６の入力端子には第１の制御線１８１が接続されている。
ｎチャネルトランジスタ１７２、１７４、及びｐチャネルトランジスタ１７８、１８０のゲート部は、ラッチ回路１９０の入力端Ｎ１と接続されている。一方、ｐチャネルトランジスタ１７３、１７５、及びｎチャネルトランジスタ１７７、１７９のゲート部は、ラッチ回路１９０の出力端Ｎ２が接続されている。
トランスミッションゲート１７１、１７６の出力端はともに、画素電極１３５に接続されている。
【０１０３】
このスイッチ回路１７０は、ラッチ回路１９０に入力された画像データに基づいて、トランスミッションゲート１７１、又はトランスミッションゲート１７６が駆動されるようになっている。これにより、トランスミッションゲート１７１が駆動された場合は、第２の制御線１８２の電位が画素電極１３５に入力され、トランスミッションゲート１７６が駆動された場合は、第１の制御線１８１の電位が画素電極１３５に入力される。
【０１０４】
（電気泳動表示装置の駆動方法）
第８の実施形態に係る駆動方法は、スイッチ回路１７０を備えた画素２４０に関する駆動方法である。第８の駆動方法は、コントラスト保持ステップの短期インターバルステップにおいて、ラッチ回路１９０の電位を最低限まで下げて、第１の制御線１８１、及び第２の制御線１８２を電気的に切断する駆動方法である。
【０１０５】
図１６は、第８の実施形態に係る駆動方法のタイミングチャートを示す図である。以下の説明では、画素２４０を、黒表示する画素２４０Ｂと白表示する画素２４０Ｗとに分けて説明する。図１６では、共通電極１３７、低電位電源線１４９、高電位電源線１５０、第１の制御線１８１、第２の制御線１８２、黒表示する画素１４０Ｂの画素電極１３５Ｂ、ラッチ回路１９０Ｂの入力端Ｎ１Ｂ、出力端Ｎ２Ｂ、及び白表示する画素１４０Ｂの画素電極１３５Ｗ、ラッチ回路１９０Ｗの入力端Ｎ１Ｗ、出力端Ｎ２Ｗに入力される電位が示されている。図１６に示すように、本実施形態に係る駆動方法は、画像書込みステップと、コントラスト保持ステップとを有している。
【０１０６】
画像書込みステップにおいては、画像データとして入力端Ｎ１Ｂに低電位（Ｌ）が入力されると、出力端Ｎ２Ｂが高電位（Ｈ）となり、トランスミッションゲート１７６が駆動される。トランスミッションゲート１７６がオンすると、第１の制御線１８１の電位が画素電極１３５Ｂに印加される。
ここで、第１の制御線１８１は、高電位（Ｈ）となっているので、画素電極１３５Ｂに高電位（Ｈ）が入力される。
他方、画像データとして入力端Ｎ１Ｗに高電位（Ｈ）が入力されると、出力端Ｎ２Ｗが低電位（Ｌ）となり、トランスミッションゲート１７１が駆動される。トランスミッションゲート１７１がオンすると、第２の制御線１８２の電位が画素電極１３５Ｗに印加される。
ここで、第２の制御線１８２は、低電位（Ｌ）となっているので、画素電極１３５Ｗに低電位（Ｌ）が入力される。
また、共通電極１３７には、第１の実施形態において、共通電極３５に入力されていた基準パルスと同様のパルスが入力される。
【０１０７】
コントラスト保持ステップにおいては、短期インターバルステップと補助パルス入力ステップとを行う。
短期インターバルステップにおいて、共通電極１３７は電気的に切断して、ハイインピーダンス状態にする。また、高電位電源線１５０の電位を、第７の駆動方法と同様にラッチ回路１９０を駆動することができる最低限の電位（Ｈ１）まで下げてラッチ回路１９０の駆動を維持する。また、第１の制御線１８１及び第２の制御線１８２を電気的に切断して、ハイインピーダンス状態にする。
このとき、ラッチ回路１９０には画像データが保持されており、トランスミッションゲート１７１又はトランスミッションゲート１７６が駆動されているが、第１の制御線１８１、及び第２の制御線１８２は電気的に切断されているため、画素電極１３５Ｂ、１３５Ｗもハイインピーダンス状態となっている。
【０１０８】
補助パルス入力ステップにおいては、高電位電源線１５０の電位を再び高電位（Ｈ）に戻す。また、第１の制御線１８１および第２の制御線１８２の電位を画像書込みステップにおける電位に戻す。具体的には、第１の制御線１８１には高電位（Ｈ）を、第２の制御線１８２には低電位（Ｌ）を、それぞれ印加する。
また、共通電極１３７には、第１から第６の駆動方法の何れか１つと同様の補助パルスを入力する。
なお、コントラスト保持ステップの期間、および繰り返し回数などは、前記各実施形態と同様に設定することができる。また、短期インターバルステップ、および、補助パルス入力ステップについても同様である。
【０１０９】
第８の実施形態にかかる駆動方法を行うことにより、前述した各実施形態と同様に、画像書込み後において高コントラストの画像を維持することができるとともに、次の効果を得ることができる。
スイッチ回路１７０を備えることで、第１の制御線１８１、及び第２の制御線１８２により、画素電極１３５Ｂ、１３５Ｗに入力する電位を制御できるので、短期インターバルステップにおいて、ラッチ回路１９０に画像データを保持した状態で画素電極１３５Ｂ、１３５Ｗを電気的に切断することができる。
また、ラッチ回路１９０を駆動可能な最低限の電位で駆動するので、短期インターバルステップにおける消費電力を抑えて画像データを保持することができる。
【０１１０】
［電子機器］
ここでは本発明の電気泳動表示装置を、電子機器に適用した場合について説明する。図１７は、腕時計３００の正面図である。
腕時計３００は、時計ケース３０２と、時計ケース３０２に連結された一対のバンド３０３とを備えている。
【０１１１】
時計ケース３０２の正面には、電気泳動表示装置（表示パネル）３０５と、秒針３２１と、分針３２２と、時針３２３とが設けられ、時計ケース３０２の側面には、操作子としての竜頭３１０と操作ボタン３１１とが設けられている。竜頭３１０は、ケース内部に設けられる巻真（図示は省略）に連結されており、巻真と一体となって多段階（例えば２段階）で押し引き自在、かつ、回転自在に設けられている。
【０１１２】
電気泳動表示装置３０５では、背景となる画像、日付や時間などの文字列、あるいは秒針、分針、時針などを表示することができる。
【０１１３】
本発明の電気泳動表示装置を備えることで、画像書込み直後における白表示の反射率低下を抑え、画像書込み直後における黒表示の反射率上昇を抑えることができるので、高コントラストの表示部を備えた腕時計３００を提供することができる。
【０１１４】
次に、電子ペーパー及び電子ノートについて説明する。図１８は電子ペーパー４００の構成を示す斜視図である。電子ペーパー４００は、本発明の電気泳動表示装置を表示部４０１として備えている。電子ペーパー４００は可撓性を有し、従来の紙と同様の質感及び柔軟性を有する書き換え可能なシートからなる本体４０２を備えて構成されている。
【０１１５】
また、図１９は、電子ノート５００の構成を示す斜視図である。電子ノート５００は、図１８で示した電子ペーパー４００が複数枚束ねられ、カバー５０１に挟まれているものである。カバー５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１１６】
電子ペーパー４００、及び電子ノート５００に本発明の電気泳動表示装置を備えることで、画像書込み直後における白表示の反射率低下を抑え、画像書込み直後における黒表示の反射率上昇を抑えるので、高コントラストの表示部を備えた電子ペーパー４００、及び電子ノート５００とすることができる。
【０１１７】
これらの他に、携帯電話、携帯用オーディオ機器などの電子機器の表示部に、本発明の電気泳動表示装置を採用することができる。
これにより、画像書込み直後における白表示の反射率低下を抑え、画像書込み直後における黒表示の反射率上昇を抑えるので、高コントラストの表示部を備えた電子機器とすることができる。
【図面の簡単な説明】
【０１１８】
【図１】電気泳動表示装置１の模式平面図である。
【図２】電気泳動表示装置１の断面構造と電気的構成とを示した図である。
【図３】マイクロカプセル８０の構成図である。
【図４】白色粒子８２、黒色粒子８３の動作説明図である。
【図５】第１の駆動方法に係るタイミングチャート図である。
【図６】反射率の変化を示す図である。
【図７】第２の駆動方法に係るタイミングチャート図である。
【図８】第３の駆動方法に係るタイミングチャート図である。
【図９】第４の駆動方法に係るタイミングチャート図である。
【図１０】第５の駆動方法に係るタイミングチャート図である。
【図１１】第６の駆動方法に係るタイミングチャート図である。
【図１２】電気泳動表示装置１００の模式平面図である。
【図１３】画素１４０の回路図である。
【図１４】第７の駆動方法に係るタイミングチャート図である。
【図１５】画素２４０の回路図である。
【図１６】第８の駆動方法に係るタイミングチャート図である。
【図１７】腕時計３００の正面図である。
【図１８】電子ペーパー４００の斜視図である。
【図１９】電子ノート５００の斜視図である。
【図２０】従来の電気泳動表示装置におけるタイミングチャートを示す図である。
【図２１】従来の電気泳動表示装置における反射率の変化を示す図である。
【符号の説明】
【０１１９】
１…電気泳動表示装置、５…表示部、３２…電気泳動素子、３５…セグメント電極（第１の電極）、３５Ｂ…セグメント電極、３５Ｗ…セグメント電極、３７…共通電極、４０…セグメント、４０Ｂ…セグメント、４０Ｗ…セグメント、６０…電圧制御回路、８０…マイクロカプセル、８２…白色粒子（電気泳動粒子）、８３…黒色粒子（電気泳動粒子）、１００…電気泳動表示装置、１０５…表示部、１３２…電気泳動素子、１３５…画素電極、１３５Ｂ…画素電極、１３５Ｗ…画素電極、１３７…共通電極、１４０…画素、１４９…低電位電源線、１５０…高電位電源線、１６１…走査線駆動回路、１６２…走査線駆動回路、１６３…コントローラ、１７０…スイッチ回路、１７１…トランスミッションゲート、１７６…トランスミッションゲート、１９０…ラッチ回路、３００…腕時計、４００…電子ペーパー、５００…電子ノート、Ｎ１…入力端、Ｎ２…出力端
【図１】
0005071014.tif 000002
【図２】
0005071014.tif 000003
【図３】
0005071014.tif 000004
【図４】
0005071014.tif 000005
【図５】
0005071014.tif 000006
【図６】
0005071014.tif 000007
【図７】
0005071014.tif 000008
【図８】
0005071014.tif 000009
【図９】
0005071014.tif 000010
【図１０】
0005071014.tif 000011
【図１１】
0005071014.tif 000012
【図１２】
0005071014.tif 000013
【図１３】
0005071014.tif 000014
【図１４】
0005071014.tif 000015
【図１５】
0005071014.tif 000016
【図１６】
0005071014.tif 000017
【図１７】
0005071014.tif 000018
【図１８】
0005071014.tif 000019
【図１９】
0005071014.tif 000020
【図２０】
0005071014.tif 000021
【図２１】
0005071014.tif 000022